(57)【要約】【課題】本発明はモータを開示し、モータを用いたジンバルと、ジンバルを用いた撮影装置をさらに開示する。【解決手段】モータは、ステータと、ステータに回転可能に接続される可動子と、モータに電気信号を提供する電気的接続装置とを備え、可動子に固定されるマグネットと、マグネットに対向するように電気的接続装置に固定して設置されるホール角変位センサーとをさらに備える。マグネットとホール角変位センサーとは、電気的接続装置を介して互いに離間している。【選択図】図３
2017501667.tif 000002
【特許請求の範囲】
【請求項１】
ステータと、前記ステータに回転可能に接続される可動子と、モータに電気信号を提供する電気的接続装置とを備えるモータであって、
前記可動子に固定されるマグネットと、前記マグネットに対向するように前記電気的接続装置に固定して設置されるホール角変位センサーとをさらに備え、
前記マグネットと前記ホール角変位センサーとは、前記電気的接続装置を介して互いに離間していることを特徴とするモータ。
【請求項２】
前記可動子は、前記ステータに回転可能に接続される回転軸ユニットと、前記回転軸ユニットに固定されるロータとを備え、前記マグネットは前記回転軸ユニットに固定されることを特徴とする請求項１に記載のモータ。
【請求項３】
前記回転軸ユニットは、回転軸とそれぞれ前記回転軸の両端に嵌設される上軸受け及び下軸受けとを備え、前記マグネットは前記回転軸に固定されることを特徴とする請求項２に記載のモータ。
【請求項４】
前記電気的接続装置は、第１の表面と、前記第１の表面から背離した第２の表面とを備え、前記ホール角変位センサーは前記第１の表面に固定して設置されており、前記マグネットと前記第２の表面とは対向するように設置され、前記マグネットと前記ホール角変位センサーとは接触しないことを特徴とする請求項１に記載のモータ。
【請求項５】
前記電気的接続装置としては、ＰＣＢ基板又はフレキシブル基板を選ぶことができることを特徴とする請求項１に記載のモータ。
【請求項６】
第１の回転部材と、前記第１の回転部材に回転可能に接続される第２の回転部材とを備えるジンバルであって、
請求項１〜５のいずれか一項に記載の前記モータをさらに備え、
前記モータは前記第２の回転部材を駆動して前記第１の回転部材に対して回転させるためのものであることを特徴とするジンバル。
【請求項７】
前記ステータは前記第１の回転部材に固定され、前記可動子は前記第２の回転部材に固定されることを特徴とする請求項６に記載のジンバル。
【請求項８】
請求項６に記載のジンバルと前記ジンバルに搭載される被支持物とを備えることを特徴とする撮影装置。
【請求項９】
前記被支持物は前記第２の回転部材に接続されることを特徴とする請求項８に記載の撮影装置。
【請求項１０】
前記被支持物はカメラであることを特徴とする請求項８に記載の撮影装置。
【発明の詳細な説明】
【技術分野】
【０００１】
本発明は、モータ、前記モータを用いたジンバル、及び前記ジンバルを用いた撮影装置に関する。
【背景技術】
【０００２】
一般的には、撮影装置はジンバルと、前記ジンバルに搭載される撮影機とを備える。前記ジンバルは、撮影機による安定、円滑且つマルチアングルの撮影を実現させるように、前記撮影機の固定を実現させ、任意に前記撮影機の姿勢を調整（例えば、撮影機の高さ及び/又は方向を変更）し、撮影機を所定の姿勢に安定して保持させることに用いられる。前記撮影機としては、ビデオカメラ又はカメラを選ぶことができる。
【０００３】
前記ジンバルは、モータを備える。前記モータには、ステータと、ロータと、前記モータにおける前記ステータと前記ロータとの相対的な位置を検知するセンサーとが設けられている。現在、センサーは一般的にエンコーダと、電位差計とを備える。但し、エンコーダは精度が高いが、体積が大きくて、コストが高く且つある程度の摩擦抵抗があり、電位差計は精度が低く且つ大きな摩擦抵抗があり、前記ジンバルの制御に大きな影響を与える。上記二つのセンサーは、いずれも接触式のものであるので、摩擦抵抗が大きく、接触不良になりやすい。
【発明の概要】
【発明が解決しようとする課題】
【０００４】
本発明の目的は、摩擦抵抗が小さいモータ、前記モータを用いたジンバル、及び前記ジンバルを用いた撮影装置を提供することにある。
【課題を解決するための手段】
【０００５】
本発明の目的は下記のように実現される。
【０００６】
モータであって、ステータと、前記ステータに回転可能に接続される可動子と、モータに電気信号を提供する電気的接続装置とを備え、モータは、前記可動子に固定されるマグネットと、前記マグネットに対向するように前記電気的接続装置に固定して設置されるホール角変位センサーとをさらに備え、前記マグネットと前記ホール角変位センサーとは、前記電気的接続装置を介して互いに離間している。
【０００７】
ジンバルであって、第１の回転部材と、前記第１の回転部材に回転可能に接続される第２の回転部材と、前記第２の回転部材を駆動して前記第１の回転部材に対して回転させることに用いられるモータとを備える。前記モータはステータと、前記ステータに回転可能に接続される可動子と、モータに電気信号を提供する電気的接続装置とを備える。前記モータは前記可動子に固定されるマグネットと、前記マグネットに対向するように前記電気的接続装置に固定して設置されるホール角変位センサーとをさらに備える。前記マグネットと前記ホール角変位センサーとは、前記電気的接続装置を介して互いに離間している。
【０００８】
撮影装置であって、ジンバルと前記ジンバルに搭載される被支持物とを備える。前記ジンバルは、第１の回転部材と、前記第１の回転部材に回転可能に接続される第２の回転部材と、前記第２の回転部材を駆動して前記第１の回転部材に対して回転させることに用いられるモータとを備える。前記モータはステータと、前記ステータに回転可能に接続される可動子と、モータに電気信号を提供する電気的接続装置とを備える。前記モータは前記可動子に固定されるマグネットと、前記マグネットに対向するように前記電気的接続装置に固定して設置されるホール角変位センサーとをさらに備える。前記マグネットと前記ホール角変位センサーとは、前記電気的接続装置を介して互いに離間している。
【発明の効果】
【０００９】
関連技術と比べると、本発明は、非接触式のホール角変位センサーによる前記ステータと前記可動子との位置関係の検出方法を提供し、従来の検出方法における摩擦抵抗が大きいという問題を解決した。
【図面の簡単な説明】
【００１０】
【図１】図１は本発明の撮影装置の斜視図である。
【図２】図２は本発明の撮影装置の前記被支持物を取り除いた斜視図である。
【図３】図３は図２のIII−III線に沿う断面図である。
【図４】図４は図２に示された別の視角から見た斜視図であり、ただし、前記第１の回転部材の一部が省略された。
【発明を実施するための形態】
【００１１】
本発明に係る実施例で提供される撮影装置は、撮影、写真、監視、サンプリングの補助装置として、空ベース（例えば、回転翼飛行体又は固定翼飛行機）、海ベース（例えば、潜水艇又は船舶）、陸ベース（例えば、自動車）又は宇宙ベース（例えば、衛星、宇宙ステーション、又は宇宙船）等の分野に搭載することができる。前記撮影装置はジンバルと、前記ジンバルに搭載される被支持物とを備える。前記ジンバルは前記被支持物の固定を実現させ、任意に前記被支持物の姿勢（例えば、前記被支持物の高さ、傾斜角及び/又は方向を変更する）を調整し、前記被支持物を所定の姿勢に安定して保持させることに用いられる。前記被支持物はカメラやビデオカメラ等の撮影装置であってもよく、センサー等であってもよい。本実施例において、前記撮影装置は飛行体に用いられる。前記被支持物は、ミラーレス一眼カメラ又は監視カメラ等であってもよい。以下に、添付図面を参照しながら、本発明の撮影装置について詳細に説明する。
【００１２】
図１〜図４に示すように、本発明の実施例により、ジンバル１０と前記ジンバル１０に搭載される被支持物２０とを備える撮影装置１００が提供される。前記ジンバル１０は、第１の回転部材１と、前記第１の回転部材１の一端に回転可能に接続され、前記被支持物２０を搭載するための第２の回転部材２と、前記第１の回転部材１と前記第２の回転部材２とを接続するモータ３０とを備える。本実施例では、前記被支持物２０はカメラである。前記モータ３０は、前記第２の回転部材２を駆動して前記第１の回転部材１に対して回転させるためのものである。
【００１３】
前記モータ３０は、前記第１の回転部材１に固定されるステータ３１と、前記ステータ３１に回転可能に接続され、前記第２の回転部材２に固定される可動子３２と、前記第１の回転部材１に固定され、前記ステータ３１に電気信号を提供する電気的接続装置３３と、前記可動子３２に固定されるマグネット３４と、前記マグネット３４に対向するように前記電気的接続装置３３に固定して設置されるホール角変位センサー３５とを備える。前記マグネット３４は前記ホール角変位センサー３５と相俟って、前記モータ３０の前記ステータ３１と前記可動子３２との相対的な位置を検出することに用いられる。前記マグネット３４と前記ホール角変位センサー３５とは、前記電気的接続装置３３を介して互いに離間している。
【００１４】
前記可動子３２は、前記ステータ３１に回転可能に接続される回転軸ユニット３６と、前記回転軸ユニット３６に固定されるロータ３７とを備える。前記ロータ３７は前記第２の回転部材２内に収容されている。本実施例の前記ステータ３１はコイルであり、前記ロータ３７は、前記ステータ３１と磁力を生じるマグネットである。選択可能な実施の形態において、前記ステータ３１はマグネットであってもよく、前記ロータ３７はコイルであってもよい。
【００１５】
前記回転軸ユニット３６は、回転軸３８と、それぞれ前記回転軸３８の両端に嵌設される上軸受け３８１及び下軸受け３８２とを備える。前記回転軸３８の一端は前記第１の回転部材１内に収容されており、他の一端は前記第２の回転部材２内に収容されている。前記上軸受け３８１は前記第１の回転部材１内に収容されている。前記下軸受け３８２は前記第２の回転部材２内に収容されている。前記回転軸ユニット３６は、前記ロータ３７と前記ステータ３１により、前記第１の回転部材１と前記第２の回転部材２とが回転可能に接続されている。前記マグネット３４は、前記第１の回転部材１内に収容される前記電気的接続装置３３に対向するように、前記回転軸３８に固定して設置されている。
【００１６】
前記電気的接続装置３３としては、ＰＣＢ基板又はフレキシブル基板を選ぶことができる。前記電気的接続装置３３は、第１の表面３３１と、前記第１の表面３３１から背離した第２の表面３３２とを備える。前記ホール角変位センサー３５は、前記第１の表面３３１に固定して設置されており、前記マグネット３４は前記第２の表面３３２に対向するように設置されるので、前記マグネット３４と前記ホール角変位センサー３５とは接触しない。前記ホール角変位センサー３５は、前記ステータ３１と前記可動子３２との位置関係を検知するとともに、ホール角変位センサー３５の体積が小さいので、従来の検出方法における摩擦抵抗が大きいという問題を解決することができる。
【００１７】
本発明の撮影装置１００は、前記マグネット３４と前記可動子３２とを固定的に接続させ、前記ホール角変位センサー３５が装着されている前記電気的接続装置３３と前記ステータ３１とを固定的に接続させる。前記ホール角変位センサー３５により、前記ステータ３１に対する前記ロータ３７の回転角度を検出することは、非接触式であるが、絶対位置エンコーダと同じ効果がある角変位検知手段が形成される。この結果、前記ジンバル１０の作動抵抗が効果的に低減され、前記ジンバル１０の応答が向上した。
【００１８】
また、前記ステータ３１が前記第１の回転部材１に直接固定され、前記可動子３２が前記第２の回転部材２に直接固定されることにより、前記ステータ３１と前記可動子３２が前記第１の回転部材１と前記第２の回転部材２との内部空間に直接組み込まれて、前記第１の回転部材１及び前記第２の回転部材２と一体に組み合わされるので、前記ジンバル１０の全体寸法が効果的に低減された。
【００１９】
以上の記載は、本発明の好ましい実施形態に過ぎず、本発明の保護範囲は上記実施形態に限定されていなく、当業者が本発明の開示内容に従って等価の修飾若しくは変更を行ったものも、特許請求の範囲に記載される保護範囲内に含まれる。
【図１】
2017501667.tif 000003
【図２】
2017501667.tif 000004
【図３】
2017501667.tif 000005
【図４】
2017501667.tif 000006
【国際調査報告】
2017501667.tif 000007
2017501667.tif 000008
2017501667.tif 000009
2017501667.tif 000010
2017501667.tif 000011
2017501667.tif 000012
2017501667.tif 000013